(57)【要約】  【課題】本発明は、音響システムに関し、演奏グループの各メンバーに対する楽器の指定作業を強いることなく、グループの演奏練習を好適に支援することを目的とする。  【解決手段】複数の利用者ＩＤで構成するグループＩＤ別に、楽曲毎に、当該各利用者ＩＤと当該楽曲で担当する楽器の楽器ＩＤとを関連付けて登録された演奏者管理テーブル５７（２５）を備え、無音楽器判定手段４９がグループＩＤに基づいて選曲された楽曲が演奏される際に当該楽曲に割り当てられた総ての楽器のうち、演奏者管理テーブル５７を参照して、ログインにより取得した各利用者ＩＤの担当する楽器を無音楽器と判定し、楽器音量制御手段５０が当該判定された無音楽器の演奏音をスピーカ３５からの出力状態で無音とさせる構成とする。  【選択図】  図２
2010085739.tif 000002
【特許請求の範囲】
【請求項１】
楽曲が複数の楽器で割り当てられるデータで構成され、選曲された楽曲の当該割り当てられた楽器の演奏音を当該楽曲のデータに基づいて音楽演奏制御部がスピーカより出力させるものであり、複数の利用者の各利用者ＩＤで構成するグループのグループＩＤ別に、楽曲毎に、当該各利用者ＩＤと当該楽曲で使用される楽器のうち担当する楽器の楽器ＩＤとを関連付けて登録された演奏者管理テーブルを備えるグループ演奏練習支援機能を備える音響システムであって、
無音楽器判定手段及び楽器音量制御手段を有し、
前記無音楽器判定手段は、前記演奏者管理テーブルを参照し、本システムに、現にログインしている利用者ＩＤで特定される前記グループＩＤに基づいて選曲された楽曲が演奏される際に、当該楽曲に割り当てられた総ての楽器のうち、当該ログインしている各利用者ＩＤが担当する楽器を無音楽器と判定し、
前記楽器音量制御手段は、前記判定された無音楽器の演奏音を前記スピーカからの出力状態で無音とさせるべく前記音楽演奏制御部を制御する、
ことを特徴とするグループ演奏練習支援機能を備える音響システム。
【請求項２】
請求項１記載のグループ演奏練習支援機能を備える音響システムであって、前記無音楽器判定手段は、前記無音楽器と判定した楽器の他に、演奏される楽曲に割り当てられた総ての楽器のうち、前記演奏者管理テーブルにグループとして登録された総ての利用者ＩＤに関連付けられた楽器以外の楽器を無音楽器と判定することを特徴とするグループ演奏練習支援機能を備える音響システム。
【請求項３】
請求項１又は２記載のグループ演奏練習支援機能を備える音響システムであって、前記演奏者管理テーブルに登録された楽曲に対して演奏のキー及びテンポの少なくとも何れかが関連付けて登録され、当該楽曲の演奏の際に、前記音楽演奏制御部が前記無音楽器と判定された楽器以外の楽器の演奏音を、当該関連付けられたキー及びテンポの少なくとも何れかに対応させて前記スピーカより出力させることを特徴とするグループ演奏練習支援機能を備える音響システム。
【発明の詳細な説明】
【技術分野】
【０００１】
本発明は、スピーカより出力される演奏音を利用してグループで演奏練習を行わせるグループ演奏練習支援機能を備える音響システムに関する。
【背景技術】
【０００２】
近年、カラオケ装置が設備されているいわゆるカラオケボックスは防音室であり、当該防音を利用して複数の演奏メンバーからなるグループ演奏を練習する行為が増えてきている。カラオケ装置は、歌唱音声を基本的に発せずに演奏音がスピーカより出力されることが一般的であり、グループ演奏を効率的に練習させる練習支援の手法が望まれる。
【０００３】
従来、カラオケシステムにはシンセサイザ音源が内蔵されており、各種デジタルデータにより多彩な演奏が可能となっている。すなわち、一の楽曲につき、演奏を構成する各種の楽器毎に振り分けられた多チャンネルの演奏用データトラックと称される楽器割り当てデータを有しているため、所望のチャンネル別に演奏音をスピーカより出力させることができる。
【０００４】
上記のようなカラオケシステムにおいて、演奏練習を行わせる技術として以下の特許文献で提案されているものがある。下記特許文献では、予約データに基づく楽曲の演奏時、その利用者ＩＤにつき、利用者別指定楽器登録部に楽器ＩＤが登録され、かつ、当該楽曲の演奏データを構成する楽器ＩＤ毎に対応する複数の音源データをそれぞれ保持する複数チャンネルの何れかに当該登録された楽器ＩＤが割り当てられていた場合、その対応する音源データの再生を行わずに演奏データを再生させることが提案されている。
【０００５】
【特許文献１】特開２００７−１９３２７３号公報
【発明の開示】
【発明が解決しようとする課題】
【０００６】
しかしながら、上記特許文献では、楽曲の予約が個人で行われることから、複数の演奏者がいる場合には、例えば演奏練習の都度、現に参加しているメンバーを確認したり、それぞれの担当楽器を一々指定したりすることとなり、複数で演奏練習する場合には煩雑な作業が必要となるという問題がある。
【０００７】
そこで、本発明は上記課題に鑑みなされたもので、演奏グループの各メンバーに対する楽器の指定作業を強いることなく、グループの演奏練習を好適に支援する音響システムを提供することを目的とする。
【課題を解決するための手段】
【０００８】
上記課題を解決するために、請求項１の発明では、楽曲が複数の楽器で割り当てられるデータで構成され、選曲された楽曲の当該割り当てられた楽器の演奏音を当該楽曲のデータに基づいて音楽演奏制御部がスピーカより出力させるものであり、複数の利用者の各利用者ＩＤで構成するグループのグループＩＤ別に、楽曲毎に、当該各利用者ＩＤと当該楽曲で使用される楽器のうち担当する楽器の楽器ＩＤとを関連付けて登録された演奏者管理テーブルを備えるグループ演奏練習支援機能を備える音響システムであって、無音楽器判定手段及び楽器音量制御手段を有し、前記無音楽器判定手段は、前記演奏者管理テーブルを参照し、本システムに、現にログインしている利用者ＩＤで特定される前記グループＩＤに基づいて選曲された楽曲が演奏される際に、当該楽曲に割り当てられた総ての楽器のうち、当該ログインしている各利用者ＩＤが担当する楽器を無音楽器と判定し、前記楽器音量制御手段は、前記判定された無音楽器の演奏音を前記スピーカからの出力状態で無音とさせるべく前記音楽演奏制御部を制御する、構成とする。
【０００９】
請求項２及び請求項３の発明では、「前記無音楽器判定手段は、前記無音楽器と判定した楽器の他に、演奏される楽曲に割り当てられた総ての楽器のうち、前記演奏者管理テーブルにグループとして登録された総ての利用者ＩＤに関連付けられた楽器以外の楽器を無音楽器と判定する」構成であり、
「前記演奏者管理テーブルに登録された楽曲に対して演奏のキー及びテンポの少なくとも何れかが関連付けて登録され、当該楽曲の演奏の際に、前記音楽演奏制御部が前記無音楽器と判定された楽器以外の楽器の演奏音を、当該関連付けられたキー及びテンポの少なくとも何れかに対応させて前記スピーカより出力させる」構成である。
【発明の効果】
【００１０】
本発明によれば、複数の利用者ＩＤで構成するグループＩＤ別に、楽曲毎に、当該各利用者ＩＤと当該楽曲で担当する楽器の楽器ＩＤとを関連付けて登録された演奏者管理テーブルを備え、グループＩＤに基づいて選曲された楽曲が演奏される際に、当該楽曲に割り当てられた総ての楽器のうち、演奏者管理テーブルを参照して、現にログインしている各利用者ＩＤの担当する楽器を無音楽器と判定し、当該判定された無音楽器の演奏音をスピーカからの出力状態で無音とさせる構成とすることにより、少なくともログインした各利用者の担当する楽器の演奏音が演奏の際に指定作業を必要とせずに無音とされることから、演奏グループの各メンバーに対する楽器の指定作業を強いることなく、また、グループ全員が揃っていなくともあたかも全員で演奏しているような練習形態とさせてグループの演奏練習を好適に支援することができるものである。
【発明を実施するための最良の形態】
【００１１】
以下、本発明の最良の実施形態を図により説明する。以下の各実施形態では、本発明の音響システムをカラオケシステムに適用させた場合を示すが、カラオケに限らず、ボーカル音声や映像が出力されない音楽再生システムにおいても適用することができるものである。
【００１２】
図１に、本発明に係るカラオケシステムの系統構成図を示す。図１（Ａ）は通信ネットワークを使用して本システムを構成させた場合のネットワーク模式図、図１（Ｂ）はホスト装置の概要ブロック構成図、図１（Ｃ）は演奏者管理テーブルの登録内容の説明図である。
【００１３】
図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１４】
ホスト装置１１は、図１（Ｂ）に示すように、少なくとも送受信手段２１、制御手段２２、グループ登録更新手段２３及び演奏者管理テーブル２４を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１５】
上記制御手段２２は、当該ホスト装置１１を統括的に制御するもので、例えば物理的なＣＰＵであり、図示しないＲＯＭに格納されているプログラムのアルゴリズム処理を行う。上記グループ登録更新手段２３は、所定のカラオケ演奏端末１３より複数の利用者ＩＤに基づいてグループ名、グループＩＤを指定して、楽曲（楽曲ＩＤ）毎に、当該各利用者ＩＤに各担当の演奏楽器（演奏楽器ＩＤ）のデータが送信されてきたときに、演奏者管理テーブル２５に、新規の場合には新規登録し、既に登録されている場合には、例えばグループのメンバーや担当楽器の変更、追加、削除を行う。
【００１６】
すなわち、上記演奏者管理テーブル２５は、図１（Ｃ）に示すように、複数の利用者の各利用者ＩＤで構成するグループのグループＩＤ別に、楽曲毎に、当該各利用者ＩＤと当該楽曲で使用される楽器のうち担当する楽器の楽器ＩＤとを関連付けて登録されたものである。
【００１７】
次に、図２に本発明のカラオケシステムにおけるカラオケ演奏端末に係るブロック構成図を示すと共に、図３に図２の楽曲演奏楽器管理テーブル及び楽器ＩＤ管理テーブルの説明図を示し、図４に図２における予約待ち行列の説明図を示す。図２において、カラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続される。
【００１８】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる後述する楽器毎の多チャンネルのアナログ演奏データをミキシングすると共に、これにマイク３４からの音声信号をミキシングし、増幅してスピーカ３５より出力する。
【００１９】
遠隔入出力端末３６は、図示しない端末送受信部により、カラオケ演奏装置３１に対して有線方式ないし無線方式（ＩＲ方式やブルートゥース（登録商標）機構のピコネット接続方式など）を利用してデータ授受を行うためのもので、楽曲検索選曲手段３７、グループ演奏登録更新手段３８及び端末表示部３９を適宜備える。
【００２０】
上記楽曲検索選曲手段３７は、後述するユーザインタフェース機能により利用者ＩＤ又はグループＩＤに基づいて、楽曲を検索させ、選曲させるプログラムである。これら選曲された楽曲は、後述の予約待ち行列（５８）に適宜選曲者（利用者ＩＤ又はグループＩＤ）が付帯されて登録される。
【００２１】
上記端末表示部３９は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。なお、この遠隔入出力端末３６には、図示しない利用者を特定する手段が搭載され、ログイン要求の利用者より利用者ＩＤを取得して当該利用者を特定する。当該利用者の特定は、例えば、利用者の所持するＩＣカードからの利用者ＩＤの取得、ユーザＩＤやパスワードの入力、声紋、指紋などの生体認証等による。この利用者を特定する手段をカラオケ演奏装置３１に備えさせてもよい。
【００２２】
上記カラオケ演奏装置３１は、バス４１、中央制御部４２、ＲＯＭ４３、ＲＡＭ４４、記憶部４５、映像再生制御部４６、音楽演奏制御部４７、グループ別演奏者情報取得手段４８、無音楽器判定手段４９、楽器音量制御手段５０及び送受信部５１，５２を適宜備える。また、上記記憶部４５には、楽曲ＤＢ５３、映像ＤＢ５４、楽曲演奏楽器管理テーブル５５及び楽器ＩＤ管理テーブル５６が記憶され、ＲＡＭ４４には、グループ別演奏者管理テーブル５７及び予約待ち行列５８の記憶領域が形成される。なお、上記各構成について、本発明の要旨と直接関連しない要素部分であっても、従前のカラオケ装置においても大部分が適用可能であることを示すために、装置全体を説明する。
【００２３】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、グループ別演奏者管理テーブル５７及び予約待ち行列５８の記憶領域が形成される他に、上記種々のプログラムを展開、実行させるための作業領域としての役割をなすもので、例えば半導体メモリで構成され、仮想的にハードディスク上に構築される場合をも含む概念である。
【００２４】
上記映像再生制御部４６は、演奏時に、映像ＤＢ５４より抽出された所定数のシーン映像データ及び楽曲コードで楽曲ＤＢ５３より抽出された歌詞テロップデータ（歌詞文字データ）を当該楽曲の音符データに同期させて表示部３２に出力する電子回路である。
【００２５】
上記音楽演奏制御部４７は、楽曲コードで楽曲ＤＢ５３より抽出された音符データを楽器の上記割当データによる割り当てられた楽器毎に多チャンネルでデジタル再生し、アナログ変換してミキシングアンプ３３に出力する電子回路である。この音楽演奏制御部４７には、上記デジタル再生した楽器毎の多チャンネルの音符データを、それぞれデジタルボリウムを介してアナログデータに変換するコンバータが設けられ、当該デジタルボリウムに対して後述の楽器音量制御手段５０が無音制御を行う。変換された楽器毎の多チャンネルのアナログデータは上記ミキシングアンプ３３でミキシングされる。
【００２６】
上記グループ別演奏者情報取得手段４８は、ログインした利用者の利用者ＩＤに基づいてホスト装置１１に当該利用者ＩＤが含まれるグループ（グループＩＤ）の総ての楽曲における担当楽器が登録された演奏者情報を取得し、グループ（グループＩＤ）別にＲＡＭ４４のグループ別演奏者管理テーブル５７に記憶するプログラムである。
【００２７】
上記無音楽器判定手段４９は、ここでは、演奏者管理テーブル２５より取得されてＲＡＭ４４に記憶されたグループ別演奏者管理テーブル５７及び記憶部４５の楽曲演奏楽器管理テーブル５５を参照し、ログインしている利用者ＩＤで特定されるグループＩＤに基づいて選曲されてＲＡＭ４４の予約待ち行列５８に登録された楽曲が演奏される際に、当該楽曲に割り当てられた総ての楽器のうち、当該現にログインしている各利用者ＩＤ、すなわちその場にいる利用者の利用者ＩＤが担当する楽器を無音楽器と判定する処理を行うプログラムである。
【００２８】
また、上記無音楽器判定手段４９は、他の処理形態として、上記無音楽器と判定した楽器の他に、演奏される楽曲に割り当てられた総ての楽器のうち、上記グループ別演奏者管理テーブル５７にグループとして登録された総ての利用者ＩＤに関連付けられた楽器以外の楽器を無音楽器と判定する処理を行う。
【００２９】
上記楽器音量制御手段５０は、無音楽器判定手段４９で判定された無音楽器の演奏音を上記スピーカ３５からの出力状態で無音とさせるべく当該楽器の演奏チャンネルを音楽演奏制御部４７のデジタルボリウムを無音制御するプログラムである。上記送受信部５１は、遠隔入出力端末３６との間で有線方式ないし無線方式（ＩＲ方式やブルートゥース（登録商標）機構のピコネット接続方式など）を利用してデータ授受を行うためのもので、そのための電子回路及びプログラムである。上記送受信部５２は、上記ホスト装置１１と上記通信ネットワーク１２を介してデータ授受を行うためのもので、通信方式と整合性をとるための例えば物理的な通信用回路やプラットフォーム等のソフトウエアにより構成されるものである。
【００３０】
上記記憶部４５に記憶されている楽曲ＤＢ５３は、楽曲毎に、音符データ及び歌詞データを格納するもので、当該音符データには複数の楽器（楽器ＩＤ）を割り当てる割当データが含まれる。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の上記音符データ（例えば、ＭＩＤＩ（登録商標）形式の音符データ）及び歌詞データ（歌詞テロップデータ）が同期されて構成される楽曲データ（ファイル）について楽曲コードをファイル名としてそれぞれ格納したデータベースであり、映像ＤＢ５４に格納された当該楽曲毎の背景映像を表示するための所定数のシーン映像を割り当てる割当データが関連付けられる。
【００３１】
上記記憶部４５に記憶されている当該映像ＤＢ５４は、背景映像表示のための所定数のシーン映像データを所定数格納するデータベースである。なお、この楽曲ＤＢ５３及び映像ＤＢ５４を、カラオケ演奏装置３１ではなく、上記ホスト装置１１に備えさせることとしてもよい。
【００３２】
上記記憶部４５に記憶される楽曲演奏楽器管理テーブル５５は、図３（Ａ）に示すように、楽曲毎に、当該楽曲演奏で使用されている総ての楽器を演奏楽器ＩＤとして関連付けたテーブルである。また、上記記憶部４５に記憶される楽器ＩＤ管理テーブル５６は、図３（Ｂ）に示すように、上記楽器の割当データに使用される楽器ＩＤと楽器名とが関連付けられたテーブルであり、例えば、利用者が上記演奏者管理テーブル２５への登録、更新に際して表示したり、指定された楽器を楽器ＩＤで特定したりするためのものであり、一方で、演奏時に、利用者ＩＤに基づく利用者名又はニックネームと担当する楽器名を表示部３２に適宜表示される際に参照される。
【００３３】
そして、ＲＡＭ４４に記憶される予約待ち行列５８は、図４に示すように、演奏する楽曲が予約順の楽曲ＩＤに、その選曲者（単独の利用者ＩＤ又はグループＩＤ）が付帯されて登録されるものである。一例として、図４において、演奏番号１，５，８は単独の利用者（利用者ＩＤ）で選曲されたもので、演奏番号２〜４，６，７がグループ（グループＩＤ）で選曲された場合を示している。
【００３４】
なお、カラオケ演奏端末１３をスタンドアローンのカラオケシステムとして適用させる場合には上記ホスト装置１１のグループ登録更新手段２３及び利演奏者管理テーブル２５を備えさせる構成とすることにより実現することができる。
【００３５】
そこで、図５に、演奏支援における無音楽器判定手段の説明図を示す。図５において、予約待ち行列５８の例えば演奏番号２（実際的には、前曲の演奏番号１の終了時には登録が消去されることで、演奏番号１となる）が演奏される際、無音楽器判定手段４９は、選曲者であるグループ（グループＩＤ）に基づいて、グループ別演奏者管理テーブル５７を参照し、現にログインしている利用者ＩＤを特定する。例えば、登録されている利用者（利用者ＩＤ）のうち、何れがログインしているかを特定する。
【００３６】
続いて、例えば図に示すように３名の利用者（利用者ＩＤ）がログインしていれば、当該ログインしている利用者ＩＤの担当する楽器（楽器ＩＤ）を特定する。適宜、ログインにしている利用者（利用者ＩＤ）が担当する演奏楽器の楽器名を、楽器ＩＤ管理テーブル５６を参照して特定する。この楽器名は、例えば上記のように表示部３２に利用者名（ニックネーム）と楽器名を表示させる。
【００３７】
そして、演奏楽曲で演奏される総ての楽器のうち、特定した楽器ＩＤをスピーカ出力状態で無音とさせる判定を行う。例えば、無音とさせる楽器ＩＤにフラグを付帯させた場合、他の楽器についてはスピーカ出力状態とさせるフラグが立つことになる。
【００３８】
また、他の処理形態では、上記ログイン者（利用者ＩＤ）による無音楽器を判定した他に、当該演奏される楽曲に割り当てられた総ての楽器（図３（Ａ））のうち、演奏者管理テーブル２５から取得したグループ別演奏者管理テーブル５７にグループとして登録された総ての利用者ＩＤに関連付けられた楽器以外の楽器を無音楽器と判定する。例えば、図に示すように、楽曲ＩＤ［＊＊＊ａ−０３］で使用される総ての楽器ＩＤのうち、グループ登録した総ての利用者が担当する楽器以外の楽器ＩＤ［＊＊＊２３］、［＊＊＊１６］においても無音楽器とさせる判定を行うものである。
【００３９】
上記のような無音楽器判定手段４９の無音楽器の判定に対して、楽器音量制御手段５０が、音楽演奏制御部４７に対して、上述のように、対象楽器のチャンネルのデジタルボリウムを無出力として制御することで、当該音楽演奏制御部４７から当該チャンネルの音符データがミキシングアンプ３３に出力されず、その結果、スピーカ３５の出力状態が無音となるものである。
【００４０】
このように、現にログインした各利用者の担当する楽器の演奏音が演奏の際に指定作業を必要とせずに無音とされることから、演奏グループの各メンバーに対する楽器の指定作業を強いることなく、また、グループ全員が揃っていなくともあたかも全員で演奏しているような練習形態とさせてグループの演奏練習を好適に支援することができるものである。また、グループ登録した総ての利用者が担当する楽器以外の楽器をも無音とさせることで、グループ内だけの音合わせなどをし易くさせることができるものである。
【００４１】
図６に本発明のカラオケシステムにおけるカラオケ演奏端末の他の実施形態に係る演奏者管理テーブルの説明図を示すと共に、図７に図６の演奏支援に係る説明図を示す。図６において、ホスト装置１１の備える演奏者管理テーブル２５に、利用者が新規にグループ登録する際、又は更新する際に、楽曲毎にキー及びテンポの少なくとも何れかを登録しておくもので、グループ別演奏者情報取得手段４８がこれをも含めて取得し、グループ別演奏者管理テーブル５７に記憶するものである。
【００４２】
一方、カラオケ演奏装置３１の音楽演奏制御部４７は、図７（Ａ）に示すように、キー・テンポ調整部６１を備える。すなわち、無音楽器判定手段４９による無音楽器の判定に応じて楽器音量制御手段５０による無音とされた楽器（音符データの当該楽器のチャンネル）以外の楽器（他のチャンネル）を、当該キー・テンポ調整部６１に応じたキー及びテンポの少なくとも何れかとしてミキシングアンプ３３に出力させるものである。
【００４３】
例えば、図７（Ｂ）において、予約待ち行列５８には、グループＩＤで選曲された楽曲が登録される際にグループ別演奏者管理テーブル５７の該当楽曲のキー及びテンポの少なくとも何れかの程度が付帯される。そして、図７（Ｃ）に示すように、無音楽器判定手段４９において、無音されたと所定の楽器ＩＤ以外の楽器ＩＤ、すなわち、スピーカ３５から出力させる楽器（楽器ＩＤ）に対して登録されたキー及びテンポの少なくとも何れかが反映されるものである。
【００４４】
このように、無音とされた楽器以外の、スピーカ３５から出力させる楽器については、楽曲毎に毎回キーやテンポを設定する操作を不要として、予め登録したキーやテンポで演奏練習をさせることができ、グループの演奏練習を好適に支援することができるものである。
【産業上の利用可能性】
【００４５】
本発明のグループ演奏練習支援機能を備える音響システムは、カラオケの基本的機能を備えるカラオケ装置の分野や、ボーカル音声や映像が出力されない音楽再生システムの分野に利用可能である。
【図面の簡単な説明】
【００４６】
【図１】本発明に係るカラオケシステムの系統構成図である。
【図２】本発明のカラオケシステムにおけるカラオケ演奏端末に係るブロック構成図である。
【図３】図２の楽曲演奏楽器管理テーブル及び楽器ＩＤ管理テーブルの説明図である。
【図４】図２における予約待ち行列の説明図である。
【図５】演奏支援における無音楽器判定手段の説明図である。
【図６】本発明のカラオケシステムにおけるカラオケ演奏端末の他の実施形態に係る演奏者管理テーブルの説明図である。
【図７】図６の演奏支援に係る説明図である。
【符号の説明】
【００４７】
１１            ホスト装置
１３            カラオケ演奏端末
２５            演奏者管理テーブル
３１            カラオケ演奏装置
４７            音楽演奏制御部
４８            グループ別演奏者情報取得手段
４９            無音楽器判定手段
５０            楽器音量制御手段
５５            楽曲演奏楽器管理テーブル
５６            楽器ＩＤ管理テーブル
５７            グルーブ別演奏者管理テーブル
５８            予約待ち行列
６１            キー・テンポ調整部
【図１】
2010085739.tif 000003
【図２】
2010085739.tif 000004
【図３】
2010085739.tif 000005
【図４】
2010085739.tif 000006
【図５】
2010085739.tif 000007
【図６】
2010085739.tif 000008
【図７】
2010085739.tif 000009